(57)【要約】【課題】排紙された用紙束に混在する章分け合紙とこれと同じ用紙のヤレ紙抽出用合紙の中からヤレ紙抽出用合紙を容易に認識可能な画像形成装置を提供する。【解決手段】画像形成部１５と、画像形成された用紙がヤレ紙か否かを検出するヤレ画像判断部３３と、給紙された用紙を合紙としてスタッカに出力する合紙出力部３６と、ヤレ紙が検出された場合に合紙出力部３６に合紙の出力を指示する第１指示部３４と、第１指示部の指示で出力された合紙のスタッカでの積載順位を記憶する第１記憶部３５と、合紙出力部３６に章分け合紙の出力を指示する第２指示部３８と、出力された章分け合紙のスタッカでの積載順位を記憶する第２記憶部３９と、第１記憶部３５にあるヤレ紙抽出用合紙の情報と第２記憶部３９にある章分け合紙の情報に基づいてスタッカに積載されたヤレ紙抽出用合紙と章分け合紙を区別して表示するヤレ紙情報表示制御部４１とを有する。【選択図】図２
2019089268.tif 000002
【特許請求の範囲】
【請求項１】
給紙された用紙に画像を形成して排出する画像形成部と、
前記画像形成部から排出された用紙がヤレ紙であるか否かを検出するヤレ検出部と、
前記画像形成部から排出された用紙のスタッカに、一の給紙トレイから給紙された用紙を合紙として出力する合紙出力部と、
前記ヤレ検出部によってヤレ紙が検出された場合に、前記合紙出力部にヤレ紙抽出用の合紙の出力を指示する第１指示部と、
前記第１指示部の指示によって出力されたヤレ紙抽出用の合紙の前記スタッカでの積載順位を記憶する第１記憶部と、
前記合紙出力部にヤレ紙抽出用以外の合紙である通常合紙の出力を指示する第２指示部と、
前記第２指示部の指示によって出力された通常合紙の前記スタッカでの積載順位を記憶する第２記憶部と、
前記第１記憶部に記憶されているヤレ紙抽出用の合紙の積載順位の情報と前記第２記憶部に記憶されている通常合紙の積載順位の情報とに基づいて、前記スタッカに積載されているヤレ紙抽出用の合紙と通常合紙の双方の合紙の中でのヤレ紙抽出用の合紙の位置を表示部に表示する表示制御部と、
を有する
ことを特徴とする画像形成装置。
【請求項２】
前記表示制御部は、前記双方の合紙の中でのヤレ紙抽出用の合紙の位置を表示する方法として、前記スタッカに積載されている各合紙の位置をヤレ紙抽出用の合紙と通常合紙を区別して表示する
ことを特徴とする請求項１に記載の画像形成装置。
【請求項３】
前記表示制御部は、一の合紙から次の合紙までの積載枚数を表示する
ことを請求項２に記載の画像形成装置。
【請求項４】
前記表示制御部は、前記双方の合紙の中でヤレ紙抽出用の合紙の位置を表示する方法として、前記スタッカに積載されているヤレ紙抽出用の合紙と通常合紙の双方の合紙の中でのヤレ紙抽出用の合紙の順位を表示する
ことを特徴とする請求項１に記載の画像形成装置。
【請求項５】
前記表示制御部によるヤレ紙抽出用の合紙の位置の表示方法を、前記双方の合紙の中でヤレ紙抽出用の合紙の位置を表示する第１表示方法と、前記第１記憶部に記憶されているヤレ紙抽出用の合紙の積載順位の情報に基づいてヤレ紙抽出用の合紙の位置のみを表示する第２表示方法とに切り替える切替部を有する
ことを特徴とする請求項１乃至４のいずれか１つに記載の画像形成装置。
【発明の詳細な説明】
【技術分野】
【０００１】
本発明は、スタッカに排紙された用紙の中のヤレ紙の位置に合紙を出力することのできる画像形成装置に関する。
【背景技術】
【０００２】
印刷工場等で使用される画像形成装置には、画像形成部の下流の搬送路上にスキャナを設け、該スキャナで用紙上の画像を読み取ってヤレ紙を検出することが行われる。しかし、通常は、検出されたヤレ紙も正常な成果物と同じ排紙トレイやスタッカに排出されるため、積載された用紙の中からヤレ紙を判別して抜き取る作業が必要になる。
【０００３】
排紙トレイ等に積載された用紙束の中にあるヤレ紙の位置を示す方法の１つとして、ヤレ紙のある位置に合紙を出力する方法がある。図１１に示すように、合紙は、通常の用紙から少しオフセットされて排紙トレイに排出されるので、ユーザは出力完了後に合紙の場所を頼りにして用紙束の中からヤレ紙を取り除くことができる。
【０００４】
また、出力時にヤレが発生したときの情報（全体の中の何枚目か等）を記憶部に保持しておき、出力物の中での不良箇所の情報を、操作パネルにリスト表示する画像形成装置もある（下記特許文献１参照）。
【先行技術文献】
【特許文献】
【０００５】
【特許文献１】特開２００５−２０５７２２７号公報
【発明の概要】
【発明が解決しようとする課題】
【０００６】
章分け有りの冊子を出力するためには、表紙、本身、章分け用の合紙の３種類の用紙を使用し、３つの給紙トレイが必要となる。ここで、印刷装置の給紙トレイが３個しかない場合、３個の給紙トレイの全てが必要となるため、ヤレ紙抽出用の合紙用の給紙トレイを別途用意することはできない。そのため、ヤレ紙抽出用の合紙として章分け用の合紙と同じ用紙を利用する場合がある。
【０００７】
この場合、図１２に示すように、章分け用の合紙とヤレ紙抽出用の合紙の区別がつかず、ヤレ紙抽出用の合紙を頼りにヤレ紙を取り除くことが困難になる。
【０００８】
特許文献１に開示された技術は、ヤレ抽出用の合紙を使用しないでヤレ紙の位置を示す技術であり、上記の問題は解決されない。
【０００９】
本発明は、上記の問題を解決しようとするものであり、排紙された用紙束の中に混在する章分け用の合紙とこれと同じ用紙のヤレ紙抽出用の合紙の中からヤレ紙抽出用の合紙を容易に認識することのできる画像形成装置を提供することを目的としている。
【課題を解決するための手段】
【００１０】
かかる目的を達成するための本発明の要旨とするところは、次の各項の発明に存する。
【００１１】
［１］給紙された用紙に画像を形成して排出する画像形成部と、
前記画像形成部から排出された用紙がヤレ紙であるか否かを検出するヤレ検出部と、
前記画像形成部から排出された用紙のスタッカに、一の給紙トレイから給紙された用紙を合紙として出力する合紙出力部と、
前記ヤレ検出部によってヤレ紙が検出された場合に、前記合紙出力部にヤレ紙抽出用の合紙の出力を指示する第１指示部と、
前記第１指示部の指示によって出力されたヤレ紙抽出用の合紙の前記スタッカでの積載順位を記憶する第１記憶部と、
前記合紙出力部にヤレ紙抽出用以外の合紙である通常合紙の出力を指示する第２指示部と、
前記第２指示部の指示によって出力された通常合紙の前記スタッカでの積載順位を記憶する第２記憶部と、
前記第１記憶部に記憶されているヤレ紙抽出用の合紙の積載順位の情報と前記第２記憶部に記憶されている通常合紙の積載順位の情報とに基づいて、前記スタッカに積載されているヤレ紙抽出用の合紙と通常合紙の双方の合紙の中でのヤレ紙抽出用の合紙の位置を表示部に表示する表示制御部と、
を有する
ことを特徴とする画像形成装置。
【００１２】
上記発明では、一の給紙トレイから給紙した用紙は、ヤレ紙抽出用の合紙としてスタッカに出力されるほか、章分け用の合紙などヤレ紙抽出用以外の合紙（通常合紙）としてもスタッカに出力される。第１記憶部にはヤレ紙抽出用の合紙としてスタッカに出力された用紙の積載順位が記録され、第２記憶部には通常合紙としてスタッカに出力された用紙の積載順位が記録される。表示制御部は、第１記憶部にあるヤレ紙抽出用の合紙の積載順位の情報と第２記憶部にある通常合紙の積載順位の情報とに基づいて、スタッカに積載されているヤレ紙抽出用の合紙と通常合紙の双方の合紙の中でのヤレ紙抽出用の合紙の位置を表示部に表示する。
【００１３】
［２］前記表示制御部は、前記双方の合紙の中でのヤレ紙抽出用の合紙の位置を表示する方法として、前記スタッカに積載されている各合紙の位置をヤレ紙抽出用の合紙と通常合紙を区別して表示する
ことを特徴とする［１］に記載の画像形成装置。
【００１４】
上記発明では、スタッカに積載されているヤレ紙抽出用の合紙と通常合紙を区別してこれらの合紙の位置を表示する。
【００１５】
［３］前記表示制御部は、一の合紙から次の合紙までの積載枚数を表示する
ことを［２］に記載の画像形成装置。
【００１６】
上記発明では、合紙と次の合紙のとの相対位置を、その間にある用紙の枚数で示す。
【００１７】
［４］前記表示制御部は、前記双方の合紙の中でヤレ紙抽出用の合紙の位置を表示する方法として、前記スタッカに積載されているヤレ紙抽出用の合紙と通常合紙の双方の合紙の中でのヤレ紙抽出用の合紙の順位を表示する
ことを特徴とする［１］に記載の画像形成装置。
【００１８】
上記発明では、ヤレ紙抽出用の合紙の位置を、合紙全体の中で上から何番目等の順位で表示する。
【００１９】
［５］前記表示制御部によるヤレ紙抽出用の合紙の位置の表示方法を、前記双方の合紙の中でヤレ紙抽出用の合紙の位置を表示する第１表示方法と、前記第１記憶部に記憶されているヤレ紙抽出用の合紙の積載順位の情報に基づいてヤレ紙抽出用の合紙の位置のみを表示する第２表示方法とに切り替える切替部を有する
ことを特徴とする［１］乃至［４］のいずれか１つに記載の画像形成装置。
【００２０】
上記発明では、ヤレ紙抽出用の合紙の積載順位のみを表示する第２表示方法にも切り替えることができる。
【発明の効果】
【００２１】
本発明に係る画像形成装置によれば、排紙された用紙束の中に章分け用の合紙とこれと同じ用紙のヤレ紙抽出用の合紙とが混在する場合にも、これらの中からヤレ紙抽出用の合紙を容易に認識することができる。
【図面の簡単な説明】
【００２２】
【図１】本発明の実施の形態に係る画像形成装置の構成を示す図である。
【図２】画像形成装置のヤレ紙識別情報の表示に係る機能部分等を示すブロック図である。
【図３】ヤレ履歴情報バッファに記憶されるヤレ目印合紙情報リストの例を示す図である。
【図４】章分け情報バッファに記憶される章分け合紙情報リストの一例を示す図である。
【図５】ジョブ実行中に、章分け情報バッファおよびヤレ履歴情報バッファに合紙の情報を記録する処理を示す流れ図である。
【図６】ヤレ紙識別情報の第１の表示例を示す図である。
【図７】ヤレ紙識別情報の第２の表示例を示す図である。
【図８】第２表示方法による表示例を示す図である。
【図９】ジョブの出力枚数が多大で合紙が大量に発生した場合のヤレ紙識別情報の表示例を示す図である。
【図１０】ヤレ紙識別情報の表示に関する処理を示す流れ図である。
【図１１】ヤレ目印合紙を含む用紙束がスタッカに積載された状態の一例を示す図である。
【図１２】ヤレ目印合紙と同じ用紙による章分け合紙とを含む用紙束がスタッカに積載された状態の一例を示す図である。
【発明を実施するための形態】
【００２３】
以下、図面に基づき本発明の実施の形態を説明する。
【００２４】
図１は、本発明の実施の形態に係る画像形成装置１０の構成を示している。画像形成装置１０は、給紙された用紙に画像を形成して排出する画像形成部１５を含む本体部１１と、本体部１１の画像形成部１５に給紙される用紙を収納する複数の給紙トレイ１２と、本体部１１の画像形成部１５の下流に設けられ、画像形成部１５から排出された用紙がヤレ紙であるか否かを検出する等のために用紙上の画像を読み取るスキャナ部１３と、スキャナ部１３の下流に設けられ、スキャナ部１３を通過した用紙を順次積載するスタッカ１４を備えて構成される。画像形成装置１０では、給紙トレイ１２から給紙された用紙は、画像形成部１５、スキャナ部１３を経由してスタッカ１４に排出されるように搬送され、スキャナ部１３は搬送路上の用紙を光学的に読み取る。
【００２５】
給紙トレイ１２は、給紙トレイ１、給紙トレイ２、給紙トレイ３の３個の給紙トレイを有する。ここでは、給紙トレイ１には冊子の表紙用の用紙が、給紙トレイ２には本身用の用紙が、給紙トレイ３には章分け用の合紙とされる用紙が収納される。給紙トレイ３の用紙は、ヤレ紙抽出用の合紙（以後、これをヤレ目印合紙とする）としても使用される。合紙としてスタッカ１４に排出される用紙は、図１１、図１２に示すように、他の用紙から所定方向にオフセットして排出される。
【００２６】
画像形成装置１０は、画像形成部１５で画像形成した用紙を順次スキャナ部１３で読み取ってスタッカ１４に排出する。読み取った用紙がヤレ紙であると判定した場合は、ヤレ目印合紙の出力指示を出力する。この指示により、画像形成装置１０は給紙トレイ３から用紙を給紙し、この用紙をヤレ目印合紙としてスタッカ１４にオフセットして排出する。
【００２７】
本実施の形態に係る画像形成装置１０では、ヤレ目印合紙と章分け用の合紙などのヤレ目印合紙以外合紙（以後、これを通常合紙とする）の双方を含む、スタッカ１４に積載された全ての合紙、の中からヤレ目印合紙を容易に区別して認識できる情報（ヤレ紙識別情報）を操作パネル１６の表示部に表示する機能を備えている。なお、以後の例では、通常合紙が章分け合紙である場合を例に説明する。
【００２８】
図２は、画像形成装置１０の概略構成およびヤレ紙識別情報の表示に係る機能部分を示すブロック図である。本体部１１の画像形成部１５から出力された用紙は、スキャナ部１３のおもて画像読取センサ２１で用紙のおもて面の画像が読み取られ、裏画像読取センサ２２で用紙の裏面の画像が読み取られる。おもて画像読取センサ２１、裏画像読取センサ２２から出力される読取画像のデータは画像送信部２３により本体部１１の画像受信部３１に向けて送信される。
【００２９】
画像受信部３１が画像送信部２３から受信した読取画像のデータは読取画像バッファ３２に書き込まれて記憶される。ヤレ画像判断部３３は、読取画像のデータを読取画像バッファ３２から読み出して解析し、スキャナ部１３で読み取った用紙がヤレ紙であるか否かをリアルタイムに判断する。
【００３０】
第１指示部３４は、ヤレ画像判断部３３の判断結果が「ヤレ紙」であった場合、合紙出力部３６にヤレ目印合紙を出力するように指示する。さらに、この指示によって合紙出力部３６が出力するヤレ目印合紙のシート番号（スタッカ１４での積載順位に相当）等をヤレ履歴情報バッファ３５（第１記憶部）に格納する。合紙出力部３６は、上記の指示を受けると、ヤレ目印合紙を出力する。具体的には、給紙トレイ３から用紙を給紙し、該用紙を、画像形成部１５、スキャナ部１３を通過させ、スタッカ１４に、通常の用紙に対してオフセットさせて排出する。
【００３１】
ジョブ制御部３７は、ジョブの実行を管理しており、表紙、本身、章分け紙などの印刷、出力を制御する。ジョブ制御部３７の第２指示部３８は、ジョブの中で章分け紙の挿入タイミングになると、章分け合紙の出力指示を合紙出力部３６に対して出力する。また、この指示によって合紙出力部３６が出力する章分け合紙のシート番号（スタッカ１４での積載順位に相当）を章分け情報バッファ３９（第２記憶部）に格納する。合紙出力部３６は、上記の指示を受けると、章分け合紙を、ヤレ目印合紙の場合と同様にしてスタッカ１４に出力する。
【００３２】
ヤレ紙情報表示制御部４１は、操作パネル１６にてユーザからヤレ履歴情報の表示要求を受けると、ヤレ履歴情報バッファ３５と章分け情報バッファ３９から読み出した情報に基づいて、スタッカ１４に積載されているヤレ目印合紙と通常合紙の双方の合紙の中でのヤレ目印合紙の位置を示すヤレ紙識別情報を作成し、これを操作パネル１６の表示部に表示する制御を行う。
【００３３】
ヤレ紙情報表示制御部４１の切替部４２は、ヤレ紙識別情報を表示する第１表示方法と、通常合紙の情報を含まずにヤレ目印合紙の情報のみを表示する第２表示方法とに、ヤレ紙に関する情報の表示方法を切り替える。切替部４２による切り替えは、操作パネル１６で受けるユーザからの切り替え操作に応じて行われる。
【００３４】
図３は、ヤレ履歴情報バッファ３５に記憶される情報の例を示している。ヤレ目印合紙の挿入位置がジョブの先頭から何枚目の用紙であるかを示すシート番号と、そのヤレ目印合紙の有る位置から何枚の用紙を除去すべきかを示す除去枚数とが紐付けてヤレ目印合紙情報リスト５０に登録される。ヤレ紙が複数回検出された場合は各検出に対してシート番号と除去枚数がヤレ目印合紙情報リスト５０に順に記録される。なお、連続印刷では、スキャナ部１３でヤレ紙を検出した直後に給紙トレイ３からヤレ目印合紙となる用紙を送り出した場合でも、ヤレ紙とヤレ目印合紙となる用紙との間の搬送路上に数枚の用紙が存在する。そこで、ヤレ紙とヤレ目印合紙との間にある用紙をすべて除去するための枚数が除去枚数で示される。
【００３５】
図４は、章分け情報バッファ３９に記録される情報の一例を示している。章分け合紙の挿入位置がジョブの先頭から何枚目の用紙であるかを示すシート番号が順次、章分け合紙情報リスト５２に記録される。
【００３６】
図５は、ジョブ実行中に、章分け情報バッファ３９およびヤレ履歴情報バッファ３５に合紙の情報を記録する処理を示す流れ図である。ジョブを開始すると、まず、シート番号を示す変数ｎを１に初期化する。次にｎ枚目の用紙が章分け紙であるか否かを判断し、章分け紙でなければ（ステップＳ１０２;Ｎｏ）、ｎ枚目の用紙は本身（あるいは表紙）として通常の印刷処理を行い（ステップＳ１０３）、ステップＳ１０６へ移行する。
【００３７】
ｎ枚目の用紙が章分け紙の場合は（ステップＳ１０２;Ｙｅｓ）、ｎ枚目を章分け合紙として出力する（ステップＳ１０４）。すなわち、第２指示部３８から合紙出力部３６に合紙の出力指示を出力し、これを受けた合紙出力部３６が給紙トレイ３から給紙した用紙を章分け合紙としてスタッカ１４に排紙する。また、第２指示部３８は章分け合紙情報リスト５２に、ｎ枚目の用紙が章分け合紙である旨の情報を追加登録して（ステップＳ１０５）、ステップＳ１０６に移行する。
【００３８】
ステップＳ１０６では、スキャナ部１３によって読み取られたｎ枚目の用紙の画像に基づいて、ｎ枚目の用紙がヤレ紙であるか否かを判断する。ヤレ紙でなければ（ステップＳ１０６;Ｎｏ）、ステップＳ１０９に移行する。ヤレ紙の場合は（ステップＳ１１０６;Ｙｅｓ）、ｎを＋１し、ヤレ目印合紙を出力する（ステップＳ１０７）。すなわち、第１指示部３４から合紙出力部３６に合紙の出力指示を出力し、これを受けた合紙出力部３６が給紙トレイ３から給紙した用紙をヤレ目印合紙としてスタッカ１４に排紙する。また、第１指示部３４はヤレ目印合紙情報リスト５０に、ｎ枚目の用紙がヤレ目印合紙である旨の情報を追加登録して（ステップＳ１０８）、ステップＳ１０９に移行する。
【００３９】
ステップＳ１０９では、このジョブに次のシートがあるか否かを判断し、次のシートがあれば（ステップＳ１０９;Ｙｅｓ）、ｎを＋１して（ステップＳ１１０）、ステップＳ１０２に戻って処理を継続する。このジョブに次のシートがなければ（ステップＳ１０９;Ｎｏ）、本処理を終了する。
【００４０】
図６は、ヤレ紙識別情報の第１の表示例を示している。操作パネル１６には、ヤレ履歴情報バッファ３５から読み出したヤレ目印合紙情報リスト５０と章分け情報バッファ３９から読み出した章分け合紙情報リスト５２とを、シート番号順に統合して作成した合紙一覧６１が表示されている。スタッカ１４にはジョブの先頭の用紙が最下となり、その上に順次用紙が積載されるので、これにならって、合紙一覧６１には、最上欄から降順に合紙の情報が表示される。
【００４１】
図６の例では、下から２０枚目、４０枚目、６０枚目、８０枚目、８５枚目、１００枚目のシートが合紙であり、そのうち、８５枚目のシートがヤレ目印合紙であることが表示されている。なお、合紙一覧６１には、合紙毎に、その合紙が出力された日時、ジョブのファイル名、シート番号（枚数）、除去枚数、種別（章分け合紙、ヤレ目印合紙等を示す）が表示される。このように、合紙一覧６１には、章分け合紙とヤレ目印合紙の双方が区別して表示される。
【００４２】
操作パネル１６において合紙一覧６１の左隣のエリアには、スタッカ１４に積載されたシートの積載状況が模式的に表示されている。このシート積載の模式表示６３においても、章分け合紙と、ヤレ目印合紙がそのシート番号に対応する位置に、かつ合紙の種類を区別可能に、表示されている。図６では、章分け合紙はグレー表示され、ヤレ目印合紙にはハッチングが施されている。また、各合紙の右隣には、その用紙の種別が文字で表示されている。
【００４３】
このように、合紙一覧６１やシート積載の模式表示６３には、章分け合紙とヤレ目印合紙の双方の合紙の情報が、積載順にかつ章分け合紙であるかヤレ目印合紙であるかを区別できるように表示されるので、実際のスタッカ１４においては章分け合紙とヤレ目印合紙が同じ用紙であったとしても、合紙一覧６１やシート積載の模式表示６３を見ることで、ヤレ目印合紙の位置を容易に確認して、スタックされている用紙束の中からヤレ紙を容易かつ迅速に取り出すことができる。
【００４４】
図７は、ヤレ紙識別情報の第２の表示例を示している。合紙一覧６１の枚数の欄には、その合紙のシート番号と下隣の合紙のシート番号との差分が表示される。なお、最下の合紙についてはジョブ先頭との差分が示してある。その他の表示は図６と同様である。図７の差分表示においても、章分け合紙とヤレ目印合紙の双方の合紙の情報が、積載順にかつ章分け合紙であるかヤレ目印合紙であるかを区別可能に表示されるので、実際のスタッカ１４においては章分け合紙とヤレ目印合紙が同じ用紙であったとしても、合紙一覧６１やシート積載の模式表示６３を見ることで、ヤレ目印合紙の位置を容易に確認して、スタックされている用紙束の中からヤレ紙を容易かつ迅速に取り出すことができる。
【００４５】
図８は、第２表示方法による表示例を示している。合紙一覧６１には、ヤレ目印合紙の情報だけが表示される。同様にシート積載の模式表示６３においても、合紙としてはヤレ目印合紙のみが表示され、章分け合紙などの通常合紙は表示されない。ユーザは、図６、図７等に示す第１表示方法（通常合紙とヤレ目印合紙の双方の合紙の情報を区別して表示する表示方法）と第２表示方法とを任意に切り替えることができる。
【００４６】
図９は、ジョブの出力枚数が多大で合紙が大量に発生した場合のヤレ紙識別情報の表示例を示す図である。同図では、１０００枚のジョブにおいて２０枚毎に章分け合紙が挿入されるため、章分け合紙だけでも５０枚になる。図９の合紙一覧６１には、積載順に上から８枚の合紙に関する情報のみが表示されている。全体の中で合紙一覧６１に表示する箇所を移動させるために、画面の左下にページ遷移釦６５、６６が設けてある。
【００４７】
下向きのページ遷移釦６６を操作すると合紙一覧６１に表示される箇所が積載順で下方向に１ページ分移動し、上向きのページ遷移釦６５を操作すると合紙一覧６１に表示される箇所が積載順で上方向に１ページ分移動する。表示ページ表示欄６７には、全ページ数と現在表示されているページ番号が表示される。合紙一覧６１に表示される箇所に対応してシート積載の模式表示６３の表示内容も変化する。なお、表示位置の移動はページ単位に限定されず、たとえば、リストの一行単位としてもよい。
【００４８】
図９の合紙一覧６１には、順位の欄が設けてあり、ヤレ目印合紙については、そのヤレ目印合紙が、合紙全体の中で、積載順の上から数えて何番目の合紙であるか、および、下から数えて何番目の合紙であるかを示す情報(順位)が表示される。図９の例では、９８５枚目の位置にあるヤレ目印合紙は、上から数えて２番目の合紙であり、下から数えて５０番目の合紙であることが表示されている。これにより、合紙一覧６１やシート積載の模式表示６３に合紙全体の中の一部の合紙の情報しか表示されない場合でも、合紙全体の中でのヤレ目印合紙の位置を容易に認識することができる。
【００４９】
なお、下から何番目の表示と上から何番目の表示の両方を表示するほか、いずれか一方でもよい。上からと下からのどちらを表示するかはユーザ選択可能としてもよいし、ヤレ目印合紙の位置に応じて自動的に近い方（シート番号で近い方、あるいは順位で近い方）を選択するようにしてもよい。
【００５０】
図１０は、ヤレ紙識別情報の表示に関する処理を示す流れ図である。まず、指示された表示方法が第１表示方法か第２表示方法かを判別する（ステップＳ２０１）。第１表示方法ならば(ステップＳ２０１;Ｙｅｓ)、章分け情報バッファ３９から章分け合紙情報リスト５２を読み出し(ステップＳ２０２)、さらにヤレ履歴情報バッファ３５からヤレ目印合紙情報リスト５０を読み出して（ステップＳ２０３）、ステップＳ２０４へ移行する。第２表示方法が指示されている場合は（ステップＳ２０１;Ｎｏ）、ヤレ履歴情報バッファ３５からヤレ目印合紙情報リスト５０を読み出して（ステップＳ２０４）、ステップＳ２０５へ移行する。この場合は章分け合紙情報リスト５２は読み出さなくて良い。
【００５１】
ステップＳ２０５では、読み出した各合紙の情報にその合紙の種別情報を付加した後、シート番号順に並べて統合する。なお、ステップＳ２０４からステップＳ２０５に移行した場合には、統合の必要はない。
【００５２】
次にユーザから指示された表示方法が差分表示か否かを判別する（ステップＳ２０６）。差分表示の場合は（ステップＳ２０６;Ｙｅｓ)、統合したデータにおける各シート番号を、１つ前の合紙のシート番号からの差分に変換する(ステップＳ２０７)。その後、ステップＳ２０８に移行する。差分表示でない場合は(ステップＳ２０６;Ｎｏ)、差分変換を行わずに、ステップＳ２０８に移行する。
【００５３】
ステップＳ２０８では、統合したデータに基づいて合紙一覧６１およびシート積載の模式表示６３の表示データを作成し、これを操作パネル１６の表示部に転送して表示させる。これにて本処理を終了する。
【００５４】
以上、本発明の実施の形態を図面によって説明してきたが、具体的な構成は実施の形態に示したものに限られるものではなく、本発明の要旨を逸脱しない範囲における変更や追加があっても本発明に含まれる。
【００５５】
実施の形態では、給紙トレイ１２は給紙トレイ１〜３のみの例を示したが、より多くの給紙トレイが存在する場合であっても、ジョブで使用可能な給紙トレイが足りずに章分け合紙等の通常合紙とヤレ目印合紙が同じ用紙で兼用されるといった場合に本発明は好適である。
【００５６】
排紙先はスタッカ１４に限定されず、排紙トレイであってもかまわない。本発明の画像形成装置は、スタッカを含まない構成であってもよく、別体のスタッカを接続して使用されてもよい。
【符号の説明】
【００５７】
１０…画像形成装置
１１…本体部
１２…給紙トレイ
１３…スキャナ部
１４…スタッカ
１５…画像形成部
１６…操作パネル
２１…おもて画像読取センサ
２２…裏画像読取センサ
２３…画像送信部
３１…画像受信部
３２…読取画像バッファ
３３…ヤレ画像判断部
３４…第１指示部
３５…ヤレ履歴情報バッファ
３６…合紙出力部
３７…ジョブ制御部
３８…第２指示部
３９…章分け情報バッファ
４１…ヤレ紙情報表示制御部
４２…切替部
５０…ヤレ目印合紙情報リスト
５２…章分け合紙情報リスト
６１…合紙一覧
６３…シート積載の模式表示
６５…ページ遷移釦（上）
６６…ページ遷移釦(下)
６７…表示ページ表示欄
【図１】
2019089268.tif 000003
【図２】
2019089268.tif 000004
【図３】
2019089268.tif 000005
【図４】
2019089268.tif 000006
【図５】
2019089268.tif 000007
【図６】
2019089268.tif 000008
【図７】
2019089268.tif 000009
【図８】
2019089268.tif 000010
【図９】
2019089268.tif 000011
【図１０】
2019089268.tif 000012
【図１１】
2019089268.tif 000013
【図１２】
2019089268.tif 000014